(57)【要約】【課題】  グランドピアノのアクションにおいて、軽量化と連打性能を改善することを目的とする。【解決手段】  ハンマーシャンクの下面に備えたシャンクローラ１９をジャック１８の軸方向の上端面１８ｅによって突き上げてハンマーシャンクを回動させるグランドピアノのアクションであって、ジャック１８において、軸１８ａの長さ方向に直交する断面（Ａ−Ａ）をハンマーシャンクの軸方向（Ｌ方向）に沿って相対向する両側壁１８ｆ、１８ｇをリブ１８ｈで連結したＨ字形状に形成し、ハンマーヘッド側に近い側壁１８ｆの肉厚Ｗ１をこれに対向する側壁１８ｇの肉厚Ｗ２より大きく形成する。そして、演奏者の押鍵動作に伴って、Ｈ字断面の側壁１８ｆの上端面によってハンマーシャンクの下面に備えたシャンクローラ１９を突き上げてハンマーを回動し、弦を打弦する。【選択図】  図２
2004280065.tif 000002
【特許請求の範囲】
【請求項１】
軸の先端にハンマーヘッドを備えるとともに軸の下面にシャンクローラを備え、軸の後端が回動中心となるように支持されて上下方向に回動するハンマーシャンクと、
該ハンマーシャンクの下方に、軸方向が該ハンマーシャンクの軸方向に対して略直交するように配設されたジャックと
を備え、該ジャックの軸方向の上端面によって前記シャンクローラを突き上げ、前記ハンマーシャンクを回動させ、前記ハンマーヘッドによって弦を打弦するグランドピアノのアクションであって、
前記ジャックは、該ジャックの軸方向に直交する断面が前記ハンマーシャンクの軸方向に沿って前記ハンマーヘッド側に向かって大きくなるように形成されていること
を特徴とするグランドピアノのアクション。
【請求項２】
前記ジャックは、該ジャックの軸方向に直交する断面が前記ハンマーシャンクの軸方向に沿って相対向する両側壁をリブで連結したＨ字形状に形成され、該両側壁の肉厚は、ハンマーヘッド側に近い一方がこれに対向する他方より大きく形成されていることを特徴とする請求項１に記載のグランドピアノのアクション。
【請求項３】
前記ジャックにおける両側壁の肉厚は、該ジャックの軸方向中央部近傍が最も大きく、該ジャックの軸方向両端部側に向かって小さくなるように形成されていることを特徴とする請求項２に記載のグランドピアノのアクション。
【請求項４】
前記ジャックは、前記断面における前記リブの幅が前記ハンマーシャンクの軸方向に沿って前記ハンマーヘッド側に向かって大きくなるように形成されていることを特徴とする請求項２または請求項３に記載のグランドピアノのアクション。
【請求項５】
該ジャックの軸方向とほぼ直交する方向に、該ジャックから突出して形成されており、  前記ジャックが前記ハンマーシャンクを押し上げた際に、移動阻止部材に当接し、前記ジャックを揺動させるためのジャックテールを備え、
該ジャックテールは、該ジャックテールの軸方向に直交する断面が前記ジャックの軸方向に沿って相対向する両側壁をリブで連結したＨ字形状に形成され、該両側壁の肉厚は、移動阻止部材に近い一方がこれに対向する他方より大きく形成されていること
を特徴とする請求項１〜請求項４の何れかに記載のグランドピアノのアクション。
【請求項６】
前記ジャックテールにおける両側壁の肉厚は、該ジャックテールの軸方向中央部近傍が最も大きく、該ジャックテールの軸方向両端部側に向かって小さくなるように形成されていることを特徴とする請求項５に記載のグランドピアノのアクション。
【請求項７】
前記ジャックテールの先端には、前記移動阻止部材に当接する当接部を有し、
前記ジャックテールにおける両側壁の幅は、該ジャックテールのジャック側から前記当接部の接続部分に向かって小さくなるよう形成されていることを特徴とする請求項５または請求項６に記載のグランドピアノのアクション。
【発明の詳細な説明】
【技術分野】
【０００１】
本発明は、ハンマーを回動させて打弦を行わせるグランドピアノのアクションに関する。
【背景技術】
【０００２】
従来、図１に表したように、弦を打弦するハンマーが水平に張られた弦の下方にあり、このハンマーを下から上に突き上げて回動させ、打弦を行わせるグランドピアノのアクション１が知られている。なお、従来例および本発明の全体構成は同じであるため、従来例および本発明の全体構成は図１を用いて説明する。
【０００３】
アクション１は、ウイッペンフレンジ１３を介してウイッペンレール１４に回動可能に支持され、キャプスタンスクリュー１２の上昇によって上向きに回動するウイッペン１５、その先端部に長孔（以下、「ジャック案内孔」と称す）１６ａを有し、ウイッペン１５の上昇によってウイッペン１５上方の支柱１５ａの先端に回転可能に支持されたレピティションレバー１６、ハンマーシャンク２２の先端にハンマーヘッド２３が装着されたハンマー２などを備えている。
【０００４】
また、ジャック１８は、上下方向に延びる軸１８ａの上端部が、レピティションレバー１６のジャック案内孔１６ａに挿通するとともにシャンクローラ１９と微小な間隔をもって対向している。
【０００５】
そして、アクション１は、演奏者が押鍵すると、ウイッペン１５が突き上げられ、レピティションレバー１６およびジャック１８がウイッペン１５とともに上方に回動し、この回動とともにジャック１８が上端部でシャンクローラ１９を上方に突き上げ、ハンマーシャンク２２を上方に回動してハンマーヘッド２３で弦２５を打鍵するように構成されている。
【０００６】
ところで、グランドピアノのアクション１は、演奏者の押鍵動作に伴って敏感に動作し、安定した連打性能が要求されるとともにアクション１の動作が演奏者の指に伝わってグランドピアノ特有のタッチ感が要求される。
【０００７】
そこで、グランドピアノのアクション１において、レピティションレバー１６を、Ｈ字形状を横向きにした断面とし、強度を保ちつつ重量を軽量化したものがある。そして、この断面をレピティションレバー１６が支柱１５ａに係合するセンターピン孔１５ｃから遠ざかるにつれて小さくし、軽量化するとともに演奏者の押鍵動作に対する反応を敏感にしようとするものがある。（例えば、特許文献１参照）
【特許文献１】特開平９−２８１９５９号公報（第２−３頁、第１−３図）
【発明の開示】
【発明が解決しようとする課題】
【０００８】
しかしながら、特許文献１に開示されたアクションによれば、レピティションレバー１６の形状に改善を行っているが、ジャック１８の軸１８ａ方向に直交する断面がハンマーシャンク２２の長さ方向（図中のＬ方向）に沿って、略同一形状に形成されているので、ジャック１８からシャンクローラ１９に力を伝達する効率が悪く、軽量化および連打性能を更に改善する余地があった。
【０００９】
本発明は、こうした問題に鑑みなされたものであり、グランドピアノのアクションにおいて、軽量化と連打性能を改善することを目的とする。
【課題を解決するための手段】
【００１０】
かかる目的を達成するためになされた請求項１記載の発明は、軸の先端にハンマーヘッドを備えるとともに軸の下面にシャンクローラを備え軸の後端が回動中心となるように支持されて上下方向に回動するハンマーシャンクと、該ハンマーシャンクの下方に、軸方向が該ハンマーシャンクの軸方向に対して略直交するように配設されたジャックとを備え、該ジャックの軸方向の上端面によって前記シャンクローラを突き上げ、前記ハンマーシャンクを回動させ、前記ハンマーヘッドによって弦を打弦するグランドピアノのアクションであって、前記ジャックは、該ジャックの軸方向に直交する断面が前記ハンマーシャンクの軸方向に沿って前記ハンマーヘッド側に向かって大きくなるように形成されていることを特徴としている。
【００１１】
請求項１記載のグランドピアノのアクションによれば、ジャックは、軸方向に直交する断面がハンマーシャンクの軸方向に沿ってハンマーヘッド側が大きくなるように形成されているので、押鍵動作にともなってジャックがシャンクローラを突き上げる力がハンマーヘッド側に集中して伝わり易く、ハンマーを回動させるための力が分散されず連打性能を改善することができ、且つ、ジャックの軽量化にも対応できる。
【００１２】
また、押鍵動作に伴って、ジャックの軸方向の上端面がシャンクローラを突き上げる動作およびシャンクローラから離間する動作が、鍵の演奏側先端に伝わり易くなるので、演奏者の押鍵動作におけるタッチ感を向上させることができる。
【００１３】
ところで、請求項１に記載のグランドピアノのアクションにおいて、ジャックは、ジャックの軸方向に直交する断面がハンマーシャンクの軸方向に沿ってハンマーヘッド側が大きくなるように形成されていればよいが、より好ましい形状としては、請求項２に記載のように、このジャックの軸方向に直交する断面がハンマーシャンクの軸方向に沿って相対向する両側壁をリブで連結したＨ字形状に形成され、ジャックの両側壁の肉厚は、ハンマーヘッド側に近い一方がこれに対向する他方より大きく形成されていることが望ましい。
【００１４】
したがって、このようなグランドピアノのアクションによれば、押鍵動作に伴って、Ｈ字形状の断面におけるハンマー側の側壁にハンマーを回転させるための力が集中して伝達されるので、連打性能を改善することができ、且つ、ジャックの剛性を損することなく効率良く軽量化できる。
【００１５】
また、請求項２に記載のグランドピアノのアクションにおいて、ジャックにおける両側壁の肉厚は、請求項３に記載のように、該ジャックの軸方向中央部近傍が最も大きく、該ジャックの軸方向両端部側に向かって小さくなるように形成されていることが好ましい。
【００１６】
つまり、ジャックがシャンクローラを突き上げる際に、ジャックに大きな力が加わる位置である、ジャックの軸方向中央部近傍における両側壁の肉厚を大きくし、あまり大きな力が加わらない両端部に近づくにつれて、両側壁の肉厚を小さくしているのである。この構成により、ジャックにおける両側壁に大きな応力が作用することを防止することができるので、ジャックの強度を維持することができる。
【００１７】
また、両側壁の肉厚を小さくし、軽量化することができるので、連打性能を向上させることができる。
さらに、請求項２または請求項３に記載のグランドピアノのアクションにおいて、ジャックは、請求項４に記載のように、断面におけるリブの幅がハンマーシャンクの軸方向の長さ方向に沿って、ハンマーヘッド側に向かって大きくなるように形成されていることが好ましい。
【００１８】
このようなグランドピアノのアクションによれば、押鍵動作に伴って、シャンクローラを突き上げる動作およびシャンクローラから離間する動作が、一層、鍵の演奏側先端に伝わり易くなるので、演奏者のタッチ感を向上させることができる。
【００１９】
また、請求項１〜請求項４の何れかに記載のグランドピアノのアクションにおいて、請求項５に記載のように、ジャックの軸方向とほぼ直交する方向に、ジャックから突出して形成されており、ジャックがハンマーシャンクを押し上げた際に、移動阻止部材に当接し、ジャックを揺動させるためのジャックテールを備えている場合には、このジャックテールは、ジャックテールの軸方向に直交する断面がジャックの軸方向に沿って相対向する両側壁をリブで連結したＨ字形状に形成され、両側壁の肉厚は、移動阻止部材に近い一方がこれに対向する他方より大きく形成されていることが好ましい。
【００２０】
すなわち、ジャックテールが移動阻止部材に当接する際に、ジャックテールに外力が加えられ、移動阻止部材に遠い側壁よりも、移動阻止部材に近い側壁に対して大きな外力が加えられるため、移動阻止部材に近い側壁の肉厚を大きく設定している。この構成により、ジャックテールにおける両側壁に大きな応力が作用することを防止することができる。
【００２１】
したがって、このようなグランドピアノのアクションによれば、ジャックテールを軽量化することができると共に、強度を維持することができる。
さらに、請求項５に記載のグランドピアノのアクションにおいて、ジャックテールにおける両側壁の肉厚は、請求項６に記載のように、ジャックテールの軸方向中央部近傍が最も大きく、ジャックテールの軸方向両端部側に向かって小さくなるように形成されていることが好ましい。
【００２２】
このようなグランドピアノのアクションによれば、ジャックテールの強度を維持すると共に、効率的に軽量化することができるので、連打性能を向上させることができる。
また、請求項６に記載のグランドピアノのアクションにおいて、請求項７に記載のように、ジャックテールの先端には、移動阻止部材に当接する当接部を有し、ジャックテールにおける両側壁の幅は、ジャックテールのジャック側から当接部の接続部分に向かって小さくなるよう形成されていることが望ましい。
【００２３】
このようなグランドピアノのアクションによれば、ジャックテールはジャック側から当接部に近づくにしたがって細くなり、軽くなるよう構成されているので、ジャックが揺動する際の慣性力を効果的に低減することができ、連打性能を向上させることができる。
【発明を実施するための最良の形態】
【００２４】
以下、本発明の実施の形態を図面と共に説明する。
図１は、本発明が適用された実施の形態におけるアクションの全体構成を表す側面図、図２は同実施の形態のアクションにおけるジャックの外観を表す側面図と図中のＡ−Ａ断面図である。
【００２５】
図１に表したように、アクション１は、軸の先端にハンマーヘッド２３を備えるとともに軸の下面にシャンクローラフレンジ１９ａを介してシャンクローラ１９を備え、後端２２ａが回動中心となるようにシャンクフレンジ２０に支持されて上下方向に回動するハンマーシャンク２２と、ハンマーシャンク２２の下方に、軸方向がハンマーシャンク２２の軸方向に対して略直交するように配設されたジャック１８とを備え、ジャック１８の軸１８ａ方向の上端面によってシャンクローラ１９を突き上げ、ハンマーシャンク２２を回動させてハンマーヘッド２３により弦２５を打弦するように構成されている。
【００２６】
そして、アクション１は、鍵１１が押されると上昇するキャプスタンスクリュー１２と、ウイッペンフレンジ１３を介してウイッペンレール１４に回動可能に支持され、キャプスタンスクリュー１２の上昇によって上向きに回転するウイッペン１５と、その先端部に長孔（以下、「ジャック案内孔」と称す）１６ａを有し、ウイッペンの１５上昇によってウイッペン１５上方の支柱１５ａの先端に回転可能に支持されたレピティションレバー１６と、ウイッペン１５の先端に回転可能に連結され、その上端部（以下、「ハンマー突き上げ部と称す」）がレピティションレバー１６のジャック案内孔１６ａの内部に位置し、ジャックテール１８ｂの先端に形成されたレギュレーティング当接部１８ｃがレギュレーティングボタン１７（本発明でいう移動阻止部材）に当接するまでウイッペン１５と共に上昇するジャック１８と、レピティションレバー１６の上面に当接し、ジャック１８のハンマー突き上げ部に突き上げられるとレピティションレバー１６の上面から離間するシャンクローラ１９と、シャンクフレンジ２０を介してシャンクレール２１に回動可能に支持されシャンクローラ１９が突き上げられると上向きに回動するハンマーシャンク２２と、ハンマーシャンク２２の先端に装着されたハンマーヘッド２３とを備えている。
【００２７】
前述の構成を有するアクション１は、演奏者によって鍵１１が押鍵されると、キャプスタンスクリュー１２を介してウイッペン１５が突き上げられることにより、レピティションレバー１６およびジャック１８がウイッペン１５とともに上方に回動する。これらの回動に伴い、まず、レピティションレバー１６が、シャンクローラ１９を摺動させながらハンマーシャンク２２を押し上げ、上方に回動させる。次いで、レピティションレバー１６がレピティションスクリュー２０ａに係合してその上方への移動が停止すると、ジャック１８が上方に移動するのに伴い、ジャック１８のハンマー突き上げ部がシャンクローラ１９を突き上げる。引き続き鍵１１が押鍵されると、ハンマーシャンク２２の先端に取り付けられたハンマーヘッド２３が、上方に張られた弦２５を打弦する直前まで回転した時点で、ジャック１８のレギュレーティング当接部１８ｃが、レギュレーティングボタン１７に係合することによって、ハンマー突き上げ部がシャンクローラ１９の下面から離脱する。すると、ハンマーシャンク２２およびハンマーヘッド２３は、鍵１１との連結が離れ、自身の慣性によって回転し、弦２５を打弦する。
【００２８】
また、上述のように押鍵されたのちに鍵１１が離鍵されると、鍵１１が鍵盤深さの１／３程度まで戻されたタイミングにてレピティションレバー１６が作動し始め、レピティションレバー１６がレピティションスプリング１５ｂのバネ力で復帰回転（図の反時計方向に回転）することによって、シャンクローラ１９を摺動させながら押し上げる。これにより、ジャック１８がレピティションスプリング１５ｂのバネ力で復帰回転（図の反時計方向に回転）し、ハンマー突き上げ部がシャンクローラ１９の下方に移動することによって、鍵１１が完全に戻らなくても次の打弦が行えるようになる。この状態においては、トリルのように連続して鍵を叩く奏法を行うことができる。
【００２９】
次に、図２に基づいて、アクション１におけるジャック１８の断面形状について説明する。図２における（ａ）図はジャック１８の側面図、（ｂ）図は（ａ）における軸１８ａの長さ方向に直交するＡ−Ａ断面図である。
【００３０】
図２に示すように、アクション１おけるジャック１８は、軸１８ａ方向（図中のＹ方向）に直交する断面がハンマーシャンク２２の軸方向（図中のＬ方向）に沿って相対向する両側壁１８ｆと１８ｇをリブ１８ｈで連結したＨ字形状に形成されている。
【００３１】
また、ジャック１８の断面は、ハンマーヘッド２３側に位置する側壁１８ｆの肉厚（図中のＷ１）が、対向する側壁１８ｇの肉厚（図中Ｗ２）より大きく形成されている。
また、ジャック１８は、上端面１８ｅがシャンクローラ１９に当接する位置において、中心軸Ｘがシャンクローラ１９に対して、ハンマーシャンク２２の軸方向（図中のＬ方向）に沿って、ハンマーヘッド２３とは反対側（図中の右側）に偏芯するように構成されている。そして、ジャック１８は、押鍵動作に伴って、ジャック１８の上端面１８ｅにおける、側壁１８ｆ側がシャンクローラ１９に当接してシャンクローラ１９を突き上げるように構成されている。
【００３２】
以下に、前記の構成を有する実施形態１のアクションの作用効果を記載する。
実施の形態のアクション１によれば、ジャック１８の断面は、ハンマーシャンク２２の軸方向（図中のＬ方向）に沿って、ハンマーヘッド２３側（図２中の左側）が大きく、ハンマーヘッド２３の反対側（図２中の右側）が小さくなるように形成されているので、押鍵動作にともなってジャック１８がシャンクローラ１９を突き上げる力がハンマーヘッド２３側に集中して伝わり易く、ハンマー２を回動させるための力が分散されず連打性能を改善することができる。
【００３３】
また、実施の形態のアクション１によれば、ジャック１８の軸１８ａ方向に直交する断面（図２中のＡ−Ａ断面）がハンマーシャンク２２の軸方向に沿って相対向する両側壁１８ｆ、１８ｇをリブ１８ｈで連結したＨ字形状に形成され、ハンマーヘッド２３側に近い側壁１８ｆの肉厚Ｗ１が、これに対向する側壁１８ｇの肉厚Ｗ２より大きく形成されているので、押鍵動作に伴って、ジャック１８のハンマーヘッド２３側の側壁１８ｆにハンマーを回動させるための力が集中して伝達され、連打性能を改善することができ、且つ、ジャック１８の剛性を損すること無く効率良く軽量化できる。
【００３４】
また、実施の形態のアクション１によれば、押鍵動作にともなって、ジャック１８の軸１８ａ方向の上端面１８ｅがシャンクローラ１９を突き上げる動作およびシャンクローラ１９から離間する動作が、鍵１１の演奏側先端に伝わり易く、演奏者のタッチ感を向上させることができる。
【００３５】
（変形例）
次に、図３を用いて、本発明のアクション１の変形例について説明する。以下に説明する変形例では、アクション１におけるジャック１８の形状が異なるのみであるため、ジャック１８のみについて説明する。図３の（ａ）、（ｂ）は、図２に示すジャック１８におけるＡ−Ａ断面図の変形例を表した断面図である。
【００３６】
図３において（ａ）に表したジャック１８の断面は、ハンマーシャンク２２の軸方向（Ｌ方向）に沿って相対向する両側壁１８ｆと１８ｇをリブ１８ｈで連結したＨ字形状に形成されている。また、リブ１８ｈは、ハンマーヘッド２３側に位置する側壁１８ｆに連結する幅（図中のｔ１）がその側壁１８ｆに対向する側壁１８ｇに連結する幅（図中のｔ２）より大きく、リブ１８ｈの幅が側壁１８ｇから側壁１８ｆに向かって徐々に大きくなるようにテーパ状に形成されている。また、側壁１８ｆの肉厚Ｗ３と側壁１８ｇの肉厚Ｗ４は同じく形成されている。
【００３７】
次に、図３において（ｂ）に表したジャック１８の断面は、ハンマーシャンク２２の軸方向（Ｌ方向）に沿って相対向する両側壁１８ｆと１８ｇをリブ１８ｈで連結した略Ｈ字形状に形成されている。また、ジャック１８の断面は、ハンマーシャンク２２の軸方向（図中のＬ方向）に沿って、Ｈ字形状のハンマーヘッド２３側に位置する側壁１８ｆの肉厚（図中のＷ５）が、その対向する側壁１８ｇの肉厚（図中Ｗ６）より大きく形成されている。また、リブ１８ｈは、側壁１８ｆに連結する幅（図中のｔ３）が側壁１８ｇに連結する幅より大きく、側壁１８ｆから側壁１８ｇに向かって徐々に小さくなるように円弧状に形成されるとともに、リブ１８ｈと側壁１８ｇとの連結部にはＲをつけて形成されている。
【００３８】
変形例の図３（ａ）に表したジャック１８の断面によれば、リブ１８ｈの幅が側壁１８ｇから側壁１８ｆに向かって徐々に大きくなるようにテーパ状に形成されているので、実施の形態と同様に、押鍵動作にともなってジャック１８がシャンクローラ１９を突き上げる力がハンマーヘッド２３側に集中して伝わり易く、ハンマー２を回動させるための力が分散されず連打性能を改善することができる。
【００３９】
また、変形例の図３（ｂ）に表したジャック１８の断面によれば、ハンマーシャンク２２の軸方向（図中のＬ方向）に沿って、Ｈ字形状のハンマーヘッド２３側に位置する側壁１８ｆの肉厚（図中のＷ５）が、その対向する側壁１８ｇの肉厚（図中Ｗ６）より大きく形成され、且つ、リブ１８ｈは、側壁１８ｆに連結する幅（図中のｔ３）が側壁１８ｇに連結する幅より大きく、側壁１８ｆから側壁１８ｇに向かって徐々に小さくなるように円弧状に形成されるとともに、リブ１８ｈと側壁１８ｇとの連結部にはＲをつけて形成されているので、リブ１８ｈと両側壁１８ｆ、１８ｇとの連結部における局部的な応力集中を低減でき、ジャック１８の破損を抑制できるとともに耐久性を向上させることができる。
【００４０】
なお、本発明の実施の形態によれば、図２に表したように、ジャック１８の断面をＨ字形状に形成したが、これに制限されることなく、ジャック１８の軸１８ａ方向（図中のＹ方向）に直交する断面がハンマーシャンク２２の軸方向（図中のＬ方向）に沿って、ハンマーヘッド２３側（図中の左側）が大きく、その対向する側（図中の左側）が小さくなるように形成されていればよい。
【００４１】
また、本発明の実施の形態によれば、図２に表したようにジャック１８の上端面１８ｅは平坦にしたが、凹凸を付けたり、角部にＲを付けたりしても良い。
また、ジャック１８の断面を、更に、軸１８ａ軸方向（図２中のＹ方向）に沿って変化させてもよい。
【００４２】
さらに、アクション１におけるジャック１８には、図４に示すような形状のジャック１８を用いてもよい。ここで、図４（ａ）はジャック１８の側面図、図４（ｂ）は主にジャックテール１８ｂを示すジャック１８の下面図である。
【００４３】
ジャック１８の両側壁１８ｆ、１８ｇにおける肉厚は、図４（ａ）に示すように、ジャック１８の軸方向中央部近傍の肉厚ｅ（またはｅ’）が最も大きく、ジャック１８の両端部に近づくにつれて小さくなるよう設定されている。つまり、ジャック１８の軸方向両端部近傍の肉厚ｄ、ｆ（またはｄ’、ｆ’）とジャック１８の軸方向中央部近傍の肉厚ｅ（またはｅ’）とは、ｅ＞ｄ、ｆ（ｅ’＞ｄ’、ｆ’）、の関係が成り立つ。また、ジャック１８における各側壁１８ｆ、１８ｇは、ジャック１８の軸方向に直行する任意の断面において、ハンマーヘッドに近い側の側壁１８ｆが、他方の側壁１８ｇよりも肉厚が大きくなるよう設定されている。つまり、ｅ’＞ｅ、ｄ’＞ｄ、ｆ’＞ｆの関係が成り立つ。
【００４４】
したがって、ジャック１８がシャンクローラ１９を突き上げる際に、ジャック１８における両側壁１８ｆ、１８ｇに大きな応力が作用することを防止することができるので、ジャック１８の強度を維持することができる。
【００４５】
また、両側壁１８ｆ、１８ｇの肉厚を小さくし、ジャック１８を軽量化することができるので、連打性能を向上させることができる。
また、ジャックテール１８ｂにおいても、ジャック１８と同様に、ジャックテール１８ｂの両側壁１８ｉ、１８ｊにおける肉厚は、図４（ａ）に示すように、ジャックテール１８ｂの軸方向中央部近傍の肉厚ｈ（またはｈ’）が最も大きく、ジャックテール１８ｂの両端部に近づくにつれて小さくなるよう設定されている。つまり、ジャックテール１８ｂの軸方向両端部近傍の肉厚ｇ、ｉ（またはｇ’、ｉ’）とジャックテール１８ｂの軸方向中央部近傍の肉厚ｈ（またはｈ’）とは、ｈ＞ｇ、ｉ（ｈ’＞ｇ’、ｉ’）、の関係が成り立つ。また、ジャックテール１８ｂにおける各側壁１８ｉ、１８ｊは、ジャックテール１８ｂの軸方向に直行する任意の断面において、ハンマーヘッドに近い側の側壁１８ｉが、他方の側壁１８ｊよりも肉厚が大きくなるよう設定されている。つまり、ｈ’＞ｈ、ｇ’＞ｇ、ｉ’＞ｉの関係が成り立つ。
【００４６】
したがって、ジャックテール１８ｂがレギュレーティングボタン１７に当接する際に、ジャックテール１８ｂにおける両側壁に大きな応力が作用することを防止することができるので、ジャックテール１８ｂを軽量化することができると共に、強度を維持することができる。
【００４７】
さらに、ジャックテール１８ｂの幅は、図４（ｂ）に示すように、ジャック１８の回動中心に近い部分が最も大きく設定されており、レギュレーティングボタン１７と当接するレギュレーティング当接部１８ｃに近づくにつれて徐々に細くなるよう構成されている。つまり、ａ＞ｂの関係が成り立つ。
【００４８】
なお、本明細書（特許請求の範囲を含む）において、ジャックテール１８ｂの幅とは、このアクション１を前側または後側から見たときの左右方向の長さ示す。
したがって、ジャックテール１８ｂは、ジャック１８側からレギュレーティング当接部１８ｃに近づくにしたがって細くなり、軽くなるよう構成されているので、ジャック１８が揺動する際の慣性力を効果的に低減することができ、連打性能を向上させることができる。
【００４９】
また、レギュレーティング当接部１８ｃの幅ｃは、ｃ＞ｂの関係が成り立つよう大きく設定されている。このため、レギュレーティング当接部１８ｃおよびレギュレーティングボタン１７に過度な衝撃を与えることを防止することができ、延いてはアクション１の損傷を防止することができる。
【図面の簡単な説明】
【００５０】
【図１】本発明および従来例における、グランドピアノのアクションの全体構成を表す側面図である。
【図２】本発明が適用されたグランドピアノのアクションにおけるジャックの外観を表す側面図（ａ）と、図中のＡ−Ａ断面図（ｂ）である。
【図３】本発明が適用された変形例のジャックの断面図である。
【図４】本発明が適用された変形例のジャックの断面図である。
【符号の説明】
【００５１】
１…アクション、２…ハンマー、１１…鍵、１２…キャプスタンスクリュー、１３…ウイッペンフレンジ、１４…ウイッペンレール、１５…ウイッペン、１５ａ…支柱、１５ｂ…レピティションスプリング、１５ｃ…センターピン孔、１６…レピティションレバー、１６ａ…ジャック案内孔、１７…レギュレーティングボタン、１８…ジャック、１８ａ…軸、１８ｂ…ジャックテール、１８ｃ…レギュレーティング当接部、１８ｅ…上端面、１８ｆ…側壁、１８ｇ…側壁、１８ｈ…リブ、１９…シャンクローラ、１９ａ…シャンクローラフレンジ、２０…シャンクフレンジ、２１…シャンクレール、２２…ハンマーシャンク、２２ａ…後端、２３…ハンマーヘッド、２５…弦。
【図１】
2004280065.tif 000003
【図２】
2004280065.tif 000004
【図３】
2004280065.tif 000005
【図４】
2004280065.tif 000006